(57)【要約】【課題】正常に処理された記録媒体と処理が異常な記録媒体とを分離して抽出可能な記録媒体処理装置において、装置をコンパクトに構成する。【解決手段】カード１を装置内に搬入する搬入部Ａと、搬入されたカード１に対し読み書き処理を行う記録処理部Ｃと、搬入されたカード１を装置内でＵターンして搬送する搬送部Ｂと、装置内に搬入されたカード１に対する読み取り処理が正常か異常かを判断する制御部Ｆと、制御部Ｆからの信号を基に正常と判断されたカード１と異常と判断されたカード１とを左右に仕分ける仕分け部Ｄと、仕分けされたカード１を装置外に搬出する搬出部Ｅとを備える。【選択図】　図１
2004099227.tif 000002
【特許請求の範囲】
【請求項１】
記録媒体を装置内に搬入する搬入部と、前記搬入された記録媒体を装置内で搬送する搬送部と、前記装置内に搬入された記録媒体に対し読み書き処理を行う記録処理部と、前記記録媒体に対する処理を制御する制御部と、前記搬送部が前記記録媒体を前記記録処理部に搬送し、読み書き処理を前記記録媒体に対して行い、前記制御部からの信号を基に正常と判断された記録媒体とそれ以外の記録媒体とを仕分ける仕分け部と、前記仕分け部により仕分けされた前記記録媒体を装置外に搬出する搬出部とを備えた記録媒体処理装置。
【請求項２】
前記搬送部が、前記搬入部から搬入された前記記録媒体を前記搬出部へ向け、搬送方向を変えるガイド板を備えたことを特徴とする請求項１記載の記録媒体処理装置。
【請求項３】
前記搬送部が、前記搬入部から搬入された前記記録媒体を前記搬送部へ向けて折り返す順逆回転可能なローラを備えたことを特徴とする請求項１記載の記録媒体処理装置。
【請求項４】
前記記録処理部が、前記記録媒体に対する光学的読取部と印字部とを備えた請求項１ないし請求項３のいずれかに記載の記録媒体処理装置。
【請求項５】
前記記録処理部が、前記記録媒体に対する磁気記録再生部を備えた請求項１ないし請求項４のいずれかに記載の記録媒体処理装置。
【請求項６】
第１の記録媒体を装置内に搬入する搬入部と、第２の記録媒体を装置内に対し搬入搬出するとともに前記第１の記録媒体を装置外に搬出する搬入搬出部と、前記搬入部と前記搬入搬出部との通路を切り換える切換部と、前記搬入部または前記搬入搬出部から搬入された記録媒体を装置内で往復動させる搬送部と、前記装置内に搬入された記録媒体に対し読み書き処理を行う記録処理部と、前記第１の記録媒体に対する処理を判断する制御部と、前記制御部からの信号を基に正常と判断された第１の記録媒体と異常と判断された第１の記録媒体とを仕分ける仕分け部と、前記搬入搬出部から排出された前記仕分け済の第１の記録媒体を集積する集積部とを備えた記録媒体処理装置。
【請求項７】
前記搬入搬出部側の搬送路に前記記録媒体に対する磁気記録再生部を備え、前記搬送部側の搬送路に前記記録媒体に対する光学的読取部と印字部とを備えた請求項６記載の記録媒体処理装置。
【請求項８】
前記仕分け部が、正常と判断された記録媒体を直進させる直行ローラと、異常と判断された記録媒体を側方に移動させる幅寄せローラとを備えた請求項１ないし請求項７のいずれかに記載の記録媒体処理装置。
【請求項９】
前記仕分け部が、常態において記録媒体を直進させる直行ローラと、前記記録媒体が前記直行ローラを通過した時点で前記制御部からの信号を基に前記媒体を側方に移動させる幅寄せローラとを備えた請求項１ないし請求項７のいずれかに記載の記録媒体処理装置。
【請求項１０】
前記仕分け部が、常態において記録媒体を直進させる直行ローラと、前記制御部からの信号を基に前記記録媒体を側方に移動させる幅寄せローラと、前記直行ローラを通過中の前記記録媒体の先端部を検出する直行センサと、前記幅寄せローラで側方に移動させた前記記録媒体の先端部を検出する幅寄せセンサとを備え、前記制御部が、前記直行センサが前記記録媒体の先端部を検出した時に、前記直行ローラを前記記録媒体から離間させるとともに前記幅寄せローラを前記記録媒体に接触させ、前記幅寄せセンサが前記記録媒体の先端部を検出した時に、前記直行ローラを前記記録媒体に接触させるとともに前記幅寄せローラを前記記録媒体から離間させることを特徴とする請求項１ないし請求項７のいずれかに記載の記録媒体処理装置。
【請求項１１】
仕分け部が、常態において記録媒体を直進させる直行ローラと、制御部からの信号を基に前記記録媒体を側方に移動させる幅寄せローラと、前記直行ローラを通過中の前記記録媒体の先端部を検出する直行センサと、前記幅寄せローラを通過中の前記記録媒体の先端部を検出する幅寄せセンサとを備え、前記制御部が、所定の判断をするステップと、前記直行センサが前記記録媒体の先端部を検出するステップと、前記直行ローラを前記記録媒体から離間させるステップと、前記幅寄せローラを前記記録媒体に接触させるステップと、前記幅寄せセンサが前記記録媒体の先端部を検出するステップと、前記一対の直行ローラを前記記録媒体に接触させ、同時に前記幅寄せローラを前記記録媒体から離間するステップとを備えた記録媒体処理方法。
【発明の詳細な説明】
【０００１】
【発明の属する技術分野】
本発明は、通帳や帳票、カード等の記録媒体に対して読み書き処理を行うとともに、読み書き処理に失敗した記録媒体を抽出することのできる記録媒体処理装置および記録媒体処理方法に関する。
【０００２】
【従来の技術】
例えば、郵便局や銀行等において、通帳や伝票、カード等（以下、カードと略称する。）に対する取引データの印字や磁気記録データの読み取りや書き込みや光学文字認識処理を自動的に行う記録媒体処理装置が知られている（例えば、特許文献１参照）。図５は従来のこの種の記録媒体処理装置の一例を示している。この例では記録媒体として顧客情報を記録したカード１が使用されている。カード１は、トレイ２の上に積載され、その上からウェイト３で押えられている。カード１は、ゲート４によってその先端部が揃えられている。トレイ２には、繰り出しローラ５がその一部をトレイ２の上に覗かせて配置され、トレイ２の前端部には、上下一対のセパレートローラ６が配置されている。セパレートローラ６の前端部にはガイド板７が配置され、その上にはスキャナ８が配置されている。ガイド板７の前端部には上下一対の搬送ローラ９が配置され、その前方にはガイド板１０が配置されている。ガイド板１０の上部には印字ヘッド１１が配置され、その下部にはプラテン１２が配置されている。ガイド板１０の前端部には、搬送ローラ１３、ガイド板１４、搬送ローラ１５、ガイド板１６、搬送ローラ１７、ガイド板１８が、搬送方向をＵターンさせるように順次配置されている。ガイド板１８の前端部には、一対のフォトセンサ１９、搬送ローラ２０、フラッパ２１が順次配置され、フラッパ２１により搬送方向がガイド板２２およびガイド板２３の方向に振り分けられている。ガイド板２２の前方には、一対のフォトセンサ２４、搬送ローラ２５、正常スタッカ２６が順次配置され、ガイド板２３の前方には、一対のフォトセンサ２７、搬送ローラ２８、異常スタッカ２９が順次配置されている。各搬送ローラは、下部が駆動ローラで、上部が従動ローラになっている。装置の全体は、コンピュータを備えた制御部３０によって制御される。
【０００３】
次に、上記従来例の動作について説明する。顧客情報を記録したカード１は、トレイ２の上に積載され、上からウェイト３により押えることにより、最下部のカードが繰り出しローラ５に圧接し、繰り出しローラ５によりセパレートローラ６に向けて送られる。セパレートローラ６は、下のローラがカード１を搬送する方向に回転し、上のローラは搬送搬送方向を逆の方向に回転するようになっているので、２枚のカード１が同時に送られた場合には、下側のカードのみが先に搬送されて、２枚送りが防止される。セパレートローラ６により送られたカード１は、スキャナ８により記載内容が読み取られ、その記載内容に応じて印字ヘッド１１およびプラテン１２により必要なデータが印字される。印字制御は印字デバイスおよび制御部３０により行われる。その後、カード１は、各搬送ローラ１３、１５、１７およびガイド板１４、１６、１８によりＵターンして搬送され、フォトセンサ１９によりその先端部が検知されると、制御部３０の制御によりフラッパ２１の方向が制御され、正常に読み取りができたカードは搬送ローラ２５から正常スタッカ２６に排出され、正常に読み取りができなかった異常カードは搬送ローラ２８から異常スタッカ２９に排出される。その際、フォトセンサ２４、２７によりカードの後端部が検出され、カードの通過が検出されたことを検出してから次のカードの処理を行う。
【０００４】
【特許文献１】
特開昭５８−１５９１９３号公報
【０００５】
【発明が解決しようとする課題】
しかしながら、上記従来の記録媒体処理装置では、正常カードと異常カードを制御部３０が判断して、それぞれのカードをフラッパ２１を動作させて振り分け、それぞれ正常スタッカ２６または異常スタッカ２９に集積するため、装置が嵩張り、大型化するという問題があった。
【０００６】
本発明は、このような従来の問題を解決するものであり、正常な記録媒体と異常な記録媒体とを分離して抽出可能な記録媒体処理装置において、装置をコンパクトに構成することのできる記録媒体処理装置および記録媒体処理方法を提供することを目的とする。
【０００７】
【課題を解決するための手段】
上記目的を達成するために、本発明の記録媒体処理装置は、記録媒体を装置内に搬入する搬入部と、前記搬入された記録媒体を装置内で搬送する搬送部と、前記装置内に搬入された記録媒体に対し読み書き処理を行う記録処理部と、前記記録媒体に対する処理を制御する制御部と、前記搬送部が前記記録媒体を前記記録処理部に搬送し、読み書き処理を前記記録媒体に対して行い、前記制御部からの信号を基に正常と判断された記録媒体とそれ以外の記録媒体とを仕分ける仕分け部と、前記仕分け部により仕分けされた前記記録媒体を装置外に搬出する搬出部とを備えたものである。この構成により、正常に処理された記録媒体と正常に処理されなかった異常な記録媒体とを振り分けるので、異常な記録媒体を容易に抽出することができるとともに、装置をコンパクトに構成することができる。
【０００８】
また、本発明の記録媒体処理装置は、前記搬送部が、前記搬入部から搬入された前記記録媒体を前記搬出部へ向けて搬送方向を変えるガイド板を備えたことを特徴とするものであり、この構成により、装置をコンパクトに構成することができる。
【０００９】
また、本発明の記録媒体処理装置は、前記搬送部が、前記搬入部から搬入された前記記録媒体を前記搬送部へ向けて折り返す順逆回転可能なローラを備えたことを特徴とするものであり、この構成により、装置をコンパクトに構成することができる。
【００１０】
また、本発明の記録媒体処理装置は、前記記録処理部が、前記記録媒体に対する光学的読取部と印字部とを備えたものであり、この構成により、記録媒体に記録された記録データを可視化することができる。
【００１１】
また、本発明の記録媒体処理装置は、前記記録処理部が、前記記録媒体に対する磁気記録再生部を備えたものであり、この構成により、記録媒体に記録された記録データを不可視化することができる。
【００１２】
また、本発明の記録媒体処理装置は、第１の記録媒体を装置内に搬入する搬入部と、第２の記録媒体を装置内に対し搬入搬出するとともに前記第１の記録媒体を装置外に搬出する搬入搬出部と、前記搬入部と前記搬入搬出部との通路を切り換える切換部と、前記搬入部または前記搬入搬出部から搬入された記録媒体を装置内で往復動させる搬送部と、前記装置内に搬入された記録媒体に対し読み書き処理を行う記録処理部と、前記第１の記録媒体に対する処理を制御する制御部と、前記制御部からの信号を基に、正常と判断された第１の記録媒体と異常と判断された第１の記録媒体とを仕分ける仕分け部と、前記搬入搬出部から排出された前記仕分け済の第１の記録媒体を集積する集積部とを備えたものである。この構成により、種類の異なる第１の記録媒体と第２の記録媒体とを同時に処理することができ、振込票等のような大量処理する第１の記録媒体については、処理が正常に行われた帳票と処理が正常に行われなかった異常な帳票とを区別して抽出することができる。
【００１３】
また、本発明の記録媒体処理装置は、前記搬入搬出部側の搬送路に前記記録媒体に対する磁気記録再生部を備え、前記搬送部側の搬送路に前記記録媒体に対する光学的読取部と印字部とを備えたものであり、帳票等の第１の記録媒体と通帳等の第２の記録媒体に対する記録処理を適宜行うことができる。
【００１４】
また、本発明の記録媒体処理装置は、前記仕分け部が、正常と判断された記録媒体を直進させる直行ローラと、異常と判断された記録媒体を側方に移動させる幅寄せローラとを備えたものであり、この構成により、正常な記録媒体と異常な記録媒体を容易に仕分けることができる。
【００１５】
また、本発明の記録媒体処理装置は、前記仕分け部が、常態において記録媒体を直進させる直行ローラと、前記記録媒体が前記直行ローラを通過した時点で前記制御部からの信号を基に前記媒体を側方に移動させる幅寄せローラとを備えたものであり、この構成により、正常な記録媒体と異常な記録媒体を容易に仕分けることができる。
【００１６】
また、本発明の記録媒体処理装置は、前記仕分け部が、常態において記録媒体を直進させる直行ローラと、前記制御部からの信号を基に前記記録媒体を側方に移動させる幅寄せローラと、前記直行ローラを通過中の前記記録媒体の先端部を検出する直行センサと、前記幅寄せローラで側方に移動させた前記記録媒体の先端部を検出する幅寄せセンサとを備え、前記制御部が、前記直行センサが前記記録媒体の先端部を検出した時に、前記直行ローラを前記記録媒体から離間させるとともに前記幅寄せローラを前記記録媒体に接触させ、前記幅寄せセンサが前記記録媒体の先端部を検出した時に、前記直行ローラを前記記録媒体に接触させるとともに前記幅寄せローラを前記記録媒体から離間させることを特徴とするものであり、この構成により、正常な記録媒体と異常な記録媒体を容易に仕分けることができる。
【００１７】
また、本発明の記録媒体処理方法は、仕分け部が、常態において記録媒体を直進させる直行ローラと、制御部からの信号を基に前記記録媒体を側方に移動させる幅寄せローラと、前記直行ローラを通過中の前記記録媒体の先端部を検出する直行センサと、前記幅寄せローラを通過中の前記記録媒体の先端部を検出する幅寄せセンサとを備え、前記制御部が、所定の判断をするステップと、前記直行センサが前記記録媒体の先端部を検出するステップと、前記直行ローラを前記記録媒体から離間させるステップと、前記幅寄せローラを前記記録媒体に接触させるステップと、前記幅寄せセンサが前記記録媒体の先端部を検出するステップと、前記一対の直行ローラを前記記録媒体に接触させ、同時に前記幅寄せローラを前記記録媒体から離間するステップとを備えたものであり、この方法により、正常な記録媒体と異常な記録媒体を容易に仕分けることができる。
【００１８】
【発明の実施の形態】
以下、本発明の実施の形態について図面を参照して説明する。
（実施の形態１）
図１は本発明の実施の形態１における記録媒体処理装置の概略構成を示しており、図５に示した従来例と同様な部材には同様な符号を付してある。本実施の形態１では、記録媒体として顧客情報を記録したカード１が使用されており、カード１は、トレイ２の上に積載され、その上からウェイト３で押えられている。カード１は、ゲート４によってその先端部が揃えられる。トレイ２には、繰り出しローラ５がその一部をトレイ２の上に覗かせて配置され、トレイ２の前端部には、上下一対のセパレートローラ６が配置されている。これらの部材により搬入部Ａが構成されている。セパレートローラ６の前端部にはガイド板７が配置され、その上には光学的読取部であるスキャナ８が配置されている。ガイド板７の前端部には上下一対の搬送ローラ９が配置され、その前方にはガイド板１０が配置されている。ガイド板１０の上部には印字ヘッド１１が配置され、その下部にはプラテン１２が配置されている。これらの部材により記録処理部Ｃが構成されている。ガイド板１０の前端部には、搬送ローラ１３、ガイド板１４、搬送ローラ１５、ガイド板１６、搬送ローラ１７、ガイド板１８が、搬送方向をＵターンさせるように順次配置されており、これらの部材により搬送部Ｂが構成されている。以上までの構成は従来例と同様である。
【００１９】
本実施の形態１では、搬送部Ｂの終端に仕分け部Ｄが配置されている。仕分け部Ｄは、下部の駆動ローラに対して上部の従動ローラが上下動してカード１を直送する一対の直行ローラ３１と、ガイド板３２と、カード１を直進方向を横切る方向に移動させ、それぞれ上下方向に移動可能な一対の幅寄せローラ３３と、直行ローラ３１を通過中のカード１の先端部を検出する直行センサ３４と、幅寄せローラ３３を通過中のカード１の先端部を検出する幅寄せセンサ３５とを備えている。仕分け部Ｄの前端部には搬出部Ｅが配置され、これは排出ローラ３６とスタッカ３７とを備えている。装置全体は、コンピュータを備えた制御部Ｆによって制御される。
【００２０】
図２（ａ）は仕分け部Ｄの概略平面図、図２（ｂ）はその概略側面図である。カード１の横寸法をｄ１、縦寸法をｄ２とすると、ガイド板３２の直行ローラ３１手前側の領域３２ａの幅寸法ｄ３は、カード１の横寸法ｄ１よりも少し大きく、直行ローラ３１を含むその先の領域３２ｂの幅寸法ｄ４は、カード１の横寸法ｄ１よりも１．５倍程度大きくなっている。また、直行ローラ３１と直行センサ３４との間の間隔ｄ５は、カード１の縦寸法ｄ２よりも短い。すなわち、カード１の先端部が直行センサ３４に検出された時には、カード１の後端部が直行ローラ３１に係っている状態になる。また、幅寄せローラ３３と幅寄せセンサ３５との間の間隔ｄ６は、カード１の横寸法ｄ１よりも短い。すなわち、カード１の側端部が幅寄せセンサ３５に検出された時には、カード１の側端部が幅寄せローラ３５に係っている状態になる。そして、直行ローラ３１および排出ローラ３６は、カード１が直行位置Ｐ１に位置する時も、幅寄せ位置Ｐ２に位置する時も、共に２箇所で接触して搬送が可能なように、それぞれ３対のローラで構成されている。
【００２１】
次に、本実施の形態１における動作について説明する。顧客情報を記録したカード１は、トレイ２の上に積載され、上からウェイト３により押えることにより、最下部のカードが繰り出しローラ５に圧接し、繰り出しローラ５によりセパレートローラ６に向けて送られる。セパレートローラ６は、下のローラがカード１の搬送方向と同じ方向に回転し、上のローラが搬送方向とは逆方向に回転しているので、２枚のカード１が同時に送られた場合には、下側のカードのみが先に搬送されて、２枚送りが防止される。セパレートローラ６により送られたカード１は、スキャナ８により記載内容が読み取られ、文字認識される。制御部Ｆは、カード１がスキャナ８による読み取りおよいｂ文字認識が正常に行われたかどうかを判断しており、読み取りエラーが発生した場合は異常を示す信号を出力する。カードの読み取りが正常の場合は、次に印字ヘッド１１およびプラテン１２により必要なデータが印字される。その後、カード１は、各搬送ローラ１３、１５、１７およびガイド板１４、１６、１８によりＵターンして搬送され、仕分け部Ｄに運ばれる。
【００２２】
仕分け部Ｄに運ばれたカード１は、制御部Ｆの制御により仕分けされる。この処理を図２および図３を参照して説明する。制御部Ｆがスキャナ８によるカード１の読み取り処理を監視している状態において読取異常を検出した場合には（ステップＳ１）、そのカード１をまず直行ローラ３１により仕分け部Ｄに搬送し、そのカード１の先端部が直行センサ３４により検出されると（ステップＳ２）、制御部Ｆは、直行ローラ３１の上側ローラを下側ローラから離間させるとともに、幅寄せローラ３３の上下のローラを接近させてカード１を介して接触させる（ステップＳ３）。これにより、カード１は、幅寄せローラ３３により位置Ｐ１から位置Ｐ２へ移動する。次いで、幅寄せセンサ３５がカード１の先端部を検出すると（ステップＳ４）、制御部Ｆは、幅寄せローラ３５の上下のローラを離間させるとともに、直行ローラ３１の上側ローラをカード１を介して下側ローラに接触させる（ステップＳ５）。これにより、カード１は、直行ローラ３１および排出ローラ３６により位置Ｐ２から位置Ｐ４へ移動してスタッカ３７上に排出される（ステップＳ６）。一方、正常と判断されたカード１は、直行ローラ３１および排出ローラ３６により位置Ｐ１から位置Ｐ３に移動してスタッカ３７上に排出される。これにより、図２（ｂ）に示すように、正常と判断されたカード１ａと異常と判断されたカード１ｂは、左右に振り分けられてスタッカ３７上に集積される。
【００２３】
このように、本実施の形態１によれば、カード１を装置内に搬入する搬入部Ａと、搬入されたカード１に対し読み書き処理を行う記録処理部Ｃと、搬入されたカード１を装置内でＵターンして搬送する搬送部Ｂと、装置内に搬入されたカード１の読み取りが正常か異常かを判断する制御部Ｆと、制御部Ｆからの信号を基に正常と判断されたカード１と異常と判断されたカード１とを左右に仕分ける仕分け部Ｄと、仕分けされたカード１を装置外に搬出する搬出部Ｅとを備えており、仕分け部Ｄが、正常と判断されたカード１を直進させる直行ローラ３１と、異常と判断されたカード１を側方に移動させる幅寄せローラ３３と、これらローラを制御するセンサ３４、３５とを備えているので、正常と判断されたカード１ａと異常と判断されたカード１ｂとを、同一のスタッカ３７上で左右に振り分けて集積することができ、異常と判断されたカード１ｂを容易に抽出できるとともに、搬送部Ｂがカード１をＵターンさせるため、装置をコンパクトに構成することができる。
【００２４】
（実施の形態２）
次に、本発明の実施の形態２について説明する。本実施の形態２による記録媒体処理装置では、帳票類と通帳類という異なる２種類の記録媒体を同時に処理することができる。図４は本発明の実施の形態２における記録媒体処理装置の概略構成を示しており、第１の記録媒体である帳票（例えば振込票）を装置内に搬入搬出する搬入搬出部Ａ１と、第２の記録媒体である通帳を装置内に対し搬入搬出するとともに、第１の記録媒体である帳票を装置外に搬出する搬入搬出部Ｇと、搬入搬出部Ａ１と搬入搬出部Ｇとの通路を切り換える切換部Ｈと、搬入搬出部Ａ１または搬入搬出部Ｇから搬入された帳票または通帳を装置内で往復動させる搬送部Ｂ１と、装置内に搬入された帳票および通帳に対し印字処理を行う印字記録部Ｃ１と、装置内に搬入された通帳に対して読み書き処理を行う磁気記録部Ｃ２と、第１の記録媒体である帳票に対する読み取り処理が正常か異常かを判断する制御部Ｆ１と、制御部Ｆ１からの信号を基に、正常と判断された帳票と異常と判断された帳票とを左右に仕分ける仕分け部Ｄ１と、搬入搬出部Ｇから排出された仕分け済の帳票を集積する集積部Ｉとを備えている。
【００２５】
搬入部Ａは、帳票セットテーブル５１と帳票送りローラ５２とガイド板５３とを備えている。切換部Ｈは、ガイド板５３とこれに対向する切換ガイド板５４との間に配置されて、制御部Ｆ１からの信号によりソレノイドまたはモータを動作させて、ガイド板５３側の通路と切換ガイド板５４側の通路とを切り換えるフラッパ５５を備えている。搬送部Ｂ１は、往復回転可能な搬送ローラ５６、５７、５８、５９と、通帳のページめくり動作を行うめくりローラ７０と、各ローラ間に渡されたガイド板７１、７２、７３とを備えている。印字記録部Ｃ１は、搬送ローラ５６と５７との間に配置されたスキャナ６４と、搬送ローラ５７と５８との間に配置された印字ヘッド６５およびプラテン６６とを備えている。磁気記録部Ｃ２は、記録ヘッド６７と対向板６８を備えている。仕分け部Ｄ１は、実施の形態１と同様に、直行ローラ６９、幅寄せローラ７０、直行センサ７１、幅寄せセンサ７２とを備えている。搬入搬出部Ｇは、往復回転可能な給排ローラ７３と、装置本体に対して着脱可能な通帳セットテーブル７４とを備えている。集積部Ｉは、通帳セットテーブル７４の代わりに装置本体に対して着脱可能なスタッカ７５を備えている。
【００２６】
次に、本実施の形態２の動作について説明する。この記録媒体処理装置は、通帳処理と証拠書等の申し込み書を同時セット同時処理するものと、複数の帳票を連続的に処理する場合とがある。通帳と証拠書等の申し込み書を同時に処理する場合は、装置本体に通帳セットテーブル７４を取り付けるとともに、搬入搬出部Ａ１の帳票セットテーブル側に証拠書等の申し込み書をセットし、搬入搬出部Ｇの通帳セットテーブル側に通帳をセットし、切換部Ｈのフラッパ５５を揺動させてガイド板５４側の通路を開放する。通帳セットテーブル７４から通帳を所定の向きに挿入すると、通帳は給排ローラ７３により装置内に送り込まれ、磁気記録部Ｃ２の磁気ヘッド６７により通帳の磁気ストライプに記録された口座番号等の取引データが読み取られ、制御部Ｆ１のメモリに記憶される。次いで、通帳は搬送部Ｂ１により印字ヘッド６５まで搬送され、制御部Ｆ１からの制御の基に取引データが通帳に記入される。取引データが次ページにまたがる場合は、めくりローラ６０によりページがめくられる。記帳が済むと、通帳は搬送部Ｂ１により逆送され、磁気ヘッド６７により必要な取引データが記録されて、給排ローラ７３から通帳セットテーブル７４上に排出される。次に、切換部Ｈのフラッパ５５を揺動させてガイド板５３側の通路を開放する。そして、帳票セットテーブル５１上にセットされた証拠書等の申込み書が給排ローラ５２により装置内に送り込まれ、印字ヘッド６５まで搬送されて制御部Ｆ１の制御の基に取引データが印字され、その後搬送ローラ５６により逆送されて、帳票送りローラ５２により帳票セットテーブル５１上に排出される。
【００２７】
複数の帳票を連続的に処理する場合は、装置本体から通帳セットテーブル７４を取り外して、代わりにスタッカ７５を取り付けるとともに、搬入搬出部Ａ１および仕分け部Ｄ１を作動状態に設定し、切換部Ｈのフラッパ５５を揺動させてガイド板５３側の通路を開放する。帳票セットテーブル５１から帳票を所定の向きに挿入すると、帳票は送りローラ５２により装置内に送り込まれ、スキャナ６４により帳票の記載内容が読み取られ、文字認識される。この時、正常に読み取り処理が行われたか、読み取りエラーが発生したかを制御部Ｆ１が検出している。スキャナ６４を通過した帳票は、印字ヘッド６５により必要なデータが印字された後、搬送部Ｂ１により仕分け部Ｄ１へ逆送される。仕分け部Ｄ１では、上記実施の形態１と同様にして、直行ローラ６９、幅寄せローラ７０、直行センサ７１および幅寄せセンサ７２により、読み取り処置が正常に行われた帳票と読み取りが正常に行われなかった異常帳票とが左右に仕分けされ、それぞれ給排ローラ７３によりスタッカ７５上に集積される。
【００２８】
このように、本実施の形態２によれば、通帳類に対しては通常の処理が行えるとともに、帳票類に対しては、スキャナ６４による読み取りが正常に行われた正常帳票とエラーが発生した異常帳票とを、スタッカ７５上で左右に振り分けて集積することができるとともに、搬送部Ｂ１が記録媒体を往復動させるため、装置をコンパクトに構成することができる。
【００２９】
なお、上記実施の形態では、正常な記録媒体と異常な記録媒体とをスキャナによる読み取り処理の正常、異常とに分けて判断しているが、印字処理などの他の処理および記録媒体自体が処理対象外の記録媒体であるか否かについても、正常、異常処理判断の対象してもよい。
【００３０】
【発明の効果】
以上説明したように、本発明の記録媒体処理装置は、記録媒体を装置内に搬入する搬入部と、搬入された記録媒体を装置内で搬送する搬送部と、装置内に搬入された記録媒体に対し読み書き処理を行う記録処理部と、記録媒体に対する処理を制御する制御部と、制御部からの信号を基に、正常と判断された記録媒体と異常と判断された記録媒体とを仕分ける仕分け部と、仕分けされた記録媒体を装置外に搬出する搬出部とを備えたものであり、異常の記録媒体を容易に抽出することができるので、装置をコンパクトに構成することができる。
【００３１】
また、本発明の記録媒体処理方法は、常態において記録媒体を直進させる直行ローラと、記録媒体を側方に移動させる幅寄せローラと、直行ローラを通過中の記録媒体の先端部を検出する直行センサと、幅寄せローラを通過中の記録媒体の先端部を検出する幅寄せセンサとを有する仕分け部を備え、直行センサが記録媒体の先端部を検出した時に、直行ローラを記録媒体から離間させる同時に幅寄せローラを記録媒体に接触させるステップと、幅寄せセンサが記録媒体の先端部を検出した時に、直行ローラを記録媒体に接触させると同時に幅寄せローラを記録媒体から離間させるステップとを備えたものであり、正常な記録媒体と異常な記録媒体を容易に仕分けることができる。
【図面の簡単な説明】
【図１】本発明の実施の形態１における記録媒体処理装置の概略構成図
【図２】（ａ）本発明の実施の形態１における仕分け部の概略平面図
（ｂ）本発明の実施の形態１における仕分け部の概略側面図
【図３】本発明の実施の形態１における仕分け動作を示す概略フロー図
【図４】本発明の実施の形態２における記録媒体処理装置の概略構成図
【図５】従来例における記録媒体処理装置の概略構成図
【符号の説明】
Ａ　搬入部
Ｂ　搬送部
Ｃ　記録処理部
Ｄ　仕分け部
Ｅ　搬出部
Ｆ　制御部
１　カード
２　トレイ
３　ウェイト
４　ゲート
５　繰り出しローラ
６　セパレートローラ
７　ガイド板
８　スキャナ（光学的読取部）
９、１３、１５、１７　搬送ローラ
１０、１４、１６、１８　ガイド板
１１　印字ヘッド
１２　プラテン
３１　直行ローラ
３２　ガイド板
３３　幅寄せローラ
３４　直行センサ
３５　幅寄せセンサ
３６　排出ローラ
３７　スタッカ
Ａ１　搬入部
Ｂ１　搬送部
Ｃ１　印字記録部
Ｃ２　磁気記録部
Ｄ１　仕分け部
Ｆ１　制御部
Ｇ　　搬入搬出部
Ｈ　　切換部
Ｉ　　集積部
５１　帳票セットテーブル
５２　帳票送りローラ
５３　ガイド板
５４　切換ガイド板
５５　フラッパ
５６、５７、５８、５９　搬送ローラ
６０　めくりローラ
６１、６２、６３　ガイド板
６４　スキャナ
６５　印字ヘッド
６６　プラテン
６７　磁気ヘッド
６８　対向板
６９　直行ローラ
７０　幅寄せローラ
７１　直行センサ
７２　幅寄せローラ
７３　給排ローラ
７４　通帳セットテーブル
７５　スタッカ
【図１】
2004099227.tif 000003
【図２】
2004099227.tif 000004
【図３】
2004099227.tif 000005
【図４】
2004099227.tif 000006
【図５】
2004099227.tif 000007